(57)【特許請求の範囲】
【請求項１】
基端面にキャップ装着孔が形成されるとともにその奥方に連続して先部がＴ字形を呈する吊り具を挿入するための溝状の吊り具挿入孔が基端壁から頂壁に貫通形成されて前記頂壁の先部に前記吊り具の先端に形成した係止突起を回動可能とした奥孔部を形成しその頂壁を前記係止突起の係止部とした吊上げ用のボス部を有するコンクリート製品に前記キャップ装着孔を面一に埋め込まれるインサート本体と、前記キャップ装着孔にほぼ面一に被着されるキャップとからなるキャップ付きインサートにおいて、前記キャップは基端面に回動用の工具掛け溝が凹設されているとともに胴部外周が円形であってキャップ装着孔に回転自在に装着されて前記ボス部の基端に形成した挿入孔に嵌合する径方向の断面が円弧状または三角形状の突部を先端面に有し、前記キャップ装着孔に被着された状態でキャップを回動した際に、前記突部がボス部の基端壁に乗り上げてキャップ自身が前記突部の前記ボス部の基端に形成した挿入孔への嵌合分だけキャップ装着孔の外側へ押し出されることを特徴とするインサート。
【請求項２】
前記キャップの基端面に凹設された回動用の工具掛け溝がドライバーまたはコインの少なくとも一方の工具用であることを特徴とする請求項１に記載のキャップ付きインサート。
【発明の詳細な説明】
【技術分野】
【０００１】
本発明は、土木や建築等に多用されるコンクリート製品を製造現場や施工現場で吊り上げるために、コンクリート製品の表面に埋設されたインサート、殊に基端に形成した吊上げ用の孔にキャップを装着したキャップに関する。
【背景技術】
【０００２】
Ｕ字溝やコンクリートパネル，テトラポット等のコンクリート製の成形品は重量物であるため、製造現場から搬送したり施工現場での設置で吊り下げるために、コンクリート製品の表面近傍にインサートと呼ばれるジョイント部材を埋設し、このインサートにＩボルト等の吊り具を連結するようにしている。
【０００３】
このインサートとして、円筒体内部に吊り具挿通孔を形成し、該吊り具挿通孔の奥部に吊り具係合孔を膨出形成して、該吊り具挿通孔外側のボス部を吊上力伝達部としたもの（例えば、特許文献１参照）や、中空円筒体の中間部にテーパ部を形成して、テーパ部内側に吊り具連結用のナット機構を固設し、テーパ部よりも小径の筒体内部を吊り具挿通孔としたもの（例えば、特許文献２参照）が知られている。
【０００４】
特許文献１，２に示すインサートは、吊り具挿通孔がコンクリート製品の表面に開口して設けられるため、インサートをコンクリート製品に埋設した後はキャップ装着孔にキャップを被着して、インサート内部に塵埃等が侵入しないようにしているおり、このようなキャップとして、コンクリート製品に埋設された円筒状のインサートの内部に差し込まれる筒状のキャップ本体と、インサート外側のキャップ装着孔の開口部外周を覆ってコンクリート製品の表面に設けられるフランジとを備え、キャップ本体の外側に板ばねを設けたもの（例えば、特許文献３参照）や、断面コ字形に形成してコンクリート製品に埋設された円筒状のインサートをコンクリート製品の表面と面一に覆うもの（例えば、特許文献４参照）が提示されている。
【特許文献１】特開平１１−１９０３１８号公報
【特許文献２】特開２０００−１７６９２４号公報
【特許文献３】特開２００２−２１３０２３号公報
【特許文献４】特開平１０−１６６３４７号公報
【発明の開示】
【発明が解決しようとする課題】
【０００５】
埋設したインサートを利用して施工現場に設置されたコンクリート製品は、前述のごとくインサートのキャップ装着孔にキャップを被着して、インサート内部の汚損を防止し、或いは美観を与えるることとなるが、コンクリートパネルを用いた建築構造物が老朽化し、また、接地面の揺れ等でコンクリート製品の設置に狂いがでたり、コンクリート製品に何らかの衝撃力が加わって破損することも少なくなく、このような場合には、キャップ装着孔のキャップを外してコンクリート製品を再度吊り上げ、位置を変えたり、新品のものと交換する必要がある。
【０００６】
しかしながら、特許文献３，４のいずれのキャップもキャップ装着孔からの取り外しを前提としていないために、取り外し作業を困難なものにしている。例えば特許文献３のキャップでは、取り外し用の工具掛け孔がない上、インサート内部に嵌合したキャップ本体の板ばねが取り外し時の大きな抵抗となって、多大な作業時間を要するものとなっており、また特許文献４のキャップでは、コンクリート製品の表面と面一に設定されるために鋭利な刃物等でこじ開けることを余儀なくされ、取り外し作業が困難であるばかりかキャップを再使用することができない。
さらに特許文献３のキャップでは、フランジ部分がコンクリート製品の表面に露出するため、フランジに外力が作用して当該部分が欠けたり、キャップそのものが飛び出して特許文献４のキャップと同様再使用できなくなる。特に、人や車（椅子）などが通過するような側溝の蓋のようなコンクリート製品にあってはバリヤフリーの観点からキャップが表面から突出していないものが採用されており、取り除きにくい。
【０００７】
本発明は、かかる実情を背景にしてなされたもので、キャップ装着孔への着脱が簡便であるばかりか、再使用価値を高めて繰り返しの使用が可能なキャップ付きインサートを提供することを課題とするものである。
【課題を解決するための手段】
【０００８】
上述の課題を解決するためになされた本発明であるキャップ付きインサートは、基端面にキャップ装着孔が形成されるとともにその奥方に連続して先部がＴ字形を呈する吊り具を挿入するための溝状の吊り具挿入孔が基端壁から頂壁に貫通形成されて前記頂壁の先部に前記吊り具の先端に形成した係止突起を回動可能とした奥孔部を形成しその頂壁を前記係止突起の係止部とした吊上げ用のボス部を有するコンクリート製品に前記キャップ装着孔を面一に埋め込まれるインサート本体と、前記キャップ装着孔にほぼ面一に被着されるキャップとからなるキャップ付きインサートにおいて、前記キャップは基端面に回動用の工具掛け溝が凹設されているとともに胴部外周が円形であってキャップ装着孔に回転自在に装着されて前記ボス部の基端に形成した挿入孔に嵌合する径方向の断面が円弧状または三角形状の突部を先端面に有し、前記キャップ装着孔に被着された状態でキャップを回動した際に、前記突部がボス部の基端壁に乗り上げてキャップ自身が前記突部の前記ボス部の基端に形成した挿入孔への嵌合分だけキャップ装着孔の外側へ押し出されることを特徴とする。また、前記キャップの基端面に凹設された回動用の工具掛け溝がドライバーまたはコインの少なくとも一方の工具用であると特殊な工具がなくても簡単に取り外し作業ができる。
【０００９】
本発明のキャップ付きインサートは、キャッブの先端面の突部を吊り具挿通孔に嵌め合わせて被漬させることによりキャップ装着孔に嵌合される。キャップ装着孔に嵌合したキャップの外側面は、コンクリート製品の表面と面一もしくはキャップ装着孔内に位置し、装着時のキャップはインサート本体の基端面、即ち、埋設した際にコンクリート製品の表面に露出しないため、人が躓いたり、外力によって損傷する心配がない。また、キャップの形状は、水平面で回転可能であれば円柱状または円筒状のいずれであってもよい。またキャップ先端面の突部は、逆三角形や円弧状，その他の回転したときに突部がボス部の吊り具挿通孔から基端面へ乗り上げやすい形状の板状突起または半径方向に連続する突条であってもよく、この突部のキャップ装着孔への嵌め込み長さがキャップの取り外し方向の長さとなる。
【００１０】
また、キャップ装着孔に嵌合しているキャップを取り外す場合には、キャップを左右いずれかの方向へ回動する（突部の傾斜面または半部を片側に設けた場合にはその形成側へ回動する）ことにより、キャップ内側面の突部がインサート本体に形成したボス部の基端面に乗り上げてキャップをキャップ装着孔の外側へ押し上げ、キャップの外面がインサート本体の基端面、即ち、埋設した際にコンクリート製品の表面よりも外側に突出する。これにより、作業者はこの突出部分を把持することにより容易に取り外すことができる。キャップを取り外す際の回動量は、インサートボス部に半径方向に設けられた吊り具挿通孔と、断面円弧状または三角形状の突部との形状により、最大でも９０度の範囲で済む。
【００１１】
更に、キャップ装着孔は、インサートのボス部の外側に筒状部を一体に設けてこれをキャップ装着孔としてもよいが、インサートのボス部の外側にコンクリート製品による空間部を設けてこれをキャップ装着孔とすることもでき、キャップの取り外しを容易に行うために、キャップの外側面に粗面加工をしてもよいが、工具掛け溝を凹設することによってキャップの取り外しが一層簡便に行える。工具掛け溝は、プラスドライバーやマイナスドライバーに合わせた形状としたりコインが入るような形状とすることができる。更にまた、キャップの外側面がコンクリート製品の表面よりも内側に位置する場合には、突状のつまみ部をコンクリート製品の表面から突出しない範囲で設けることもできる。
【発明の効果】
【００１２】
本発明のキャップ付きインサートによれば、キャップ装着孔へのキャップの装着はもとより、コンクリート製品を再吊り上げする際のキャップ装着孔からのキャップの取り外しを短時間で簡便に行うことができ、しかも再使用が可能となる。更に、キャップの装着は、吊り具挿通孔をコンクリート製品の表面に露出させることがなく、塵埃が詰まったり汚染する等の心配がない。
【発明を実施するための最良の形態】
【００１３】
以下、本発明の形態例を図面に基づいて詳細に説明する。
図中、図１は分解斜視図、図２はインサート本体の外観図、図３は図２に示したインサート本体の平面図、図４はキャップを被着したインサート本体の断面図、図５はキャップの平面図、図６はキャップの断面図である。
【００１４】
本発明であるキャップ付きインサート１は、従来のものと同様に例えばＡＢＳ樹脂やＰＰ樹脂など硬質で機械的耐性を有する適宜の合成樹脂により形成された有底筒状のインサート本体２ａを有し、インサート本体２ａの先端面にキャップ装着孔３が形成されているとともにその奥方に吊り具係合孔４を有するボス部２ｄが形成されており、コンクリート製品に埋設した際の抜け止めとして先部近傍に円板状のフランジ２ｂと上部開口縁との間に三角形の補強用リブ２ｃが放射方向に４条等間隔に設けられている。
【００１５】
そして、キャップ装着孔３は、インサート本体２ａの基部に開口する円筒状の空間部に形成されており、キャップ装着孔３の奥側にボス部２ｄが連続し、さらにボス部２ｄには奥側へ向けて吊り具係合孔４が形成されている。ボス部２ｄはインサート本体２ａの内部中間に位置し、縦方向に貫通する吊り具挿通孔６によって円弧状に二分割された円弧状柱体で、キャップ装着孔３に収容されるキャップ５の台座となっている。
吊り具挿通孔６は、インサート本体２ａの内部半径方向全長に亘る長孔６ａと、インサート本体２ａの中心軸を支点とする円弧孔部６ｂとからなり、ボス部２ｄを上下に貫通してキャップ装着孔３と吊り具係合孔４とに連通している。前記吊り具係合孔４は、インサート本体２ａの先端壁２ｅとボス部２ｄとの間で、かつ、ボス部２ｄの分割された円弧状柱体の奥側を対角位置にえぐった奥孔部に連通している。
【００１６】
上述のように構成されるインサート１は、インサート本体２ａをコンクリート製品Ｋを成形する際に、キャップ装着孔３の上面開口であるの上部開口縁をコンクリート製品Ｋ１の上面に面一となるように位置合わせして埋設され、コンクリート製品Ｋの吊り具（図示しない）には、吊り具挿通孔６の円弧孔６ｂと同径の軸棒の先端に、吊り具挿通孔６の長孔６ａと同形の係止棒を交差方向に固着した形状のものが用いられ、コンクリート製品Ｋを吊り上げるには、インサート１の吊り具挿通孔６に吊り具の軸棒と係止棒とを挿通し、低壁２ｅとボス部２ｄとの間に係止棒を位置させて軸棒を約９０度回動させて係止棒を吊り具係合孔４に係合させることによりコンクリート製品Ｋが吊り上げ可能状態となる（図示せず）。
【００１７】
一方、前記キャップ装着孔３に装着されるキャップ５は、円筒体の基端面を板部材で塞いだ有底円筒状を呈し、その高さはインサート本体２ａのキャップ装着孔３と同一長に設定されている。円筒体の先端面には一対の突部５ａ，５ａが対向して突設されており、また基端表面には２つの溝７ａ，７ｂを交差させた十字状に形成された工具掛け溝７が凹設されており、一方の溝７ａはコイン用として幅広の長い弧状に形成され、また他方の溝７ｂはマイナスドライバやプラスドライバ用として細幅で短い形状に形成されている。また、キャップ５先端面の突部５ａ，５ａは逆三角形に形成されており、円筒体の下面に連らなる逆三角形の基部は、吊り具挿通孔６の長孔６ａと同一幅に形成されていて、キャップ５をインサート本体２ａのキャップ装着孔３へ装着した際に、突部５ａ，５ａが吊り具挿通孔６の長孔６ａへガタつきなく収容されるようになっている。工具掛け溝７は、２つの溝７ａ，７ｂを交差させた十字状に形成されており、一方の溝７ａはコイン用として幅広の長い弧状に形成され、また他方の溝７ｂはマイナスドライバやプラスドライバ用として細幅で短い形状に形成されている。
【００１８】
このように構成される本形態例のキャップ５は、コンクリート製品Ｋを保管場所に移動した後や施工現場での設置後、吊り具（図示しない）を取り去った後に、突部５ａ，５ａを吊り具挿通孔６の長孔６ａに嵌合しながらインサート１のキャップ装着孔３に装着される。キャップ５の高さは、インサート１のキャップ装着孔３と同一長に設定されているため、キャップ５はインサート１とともにコンクリート製品Ｋの上面と面一に位置するので、外力による損傷を受けることが極めて少なく、バリヤフリーとしての用途にも対応し、インサート１内部への塵埃を長期間有効に防止する。
【００１９】
また、設置したコンクリート製品Ｋを交換や移動で再度吊り上げる必要が生じた場合には、キャップ装着孔３に被着したキャップ５上面の工具掛け溝７に、コインやマイナスドライバ，プラスドライバ，その他適宜な工具を差し込んで、左右いずれかの方向へ回動すると、吊り具挿通孔６の長孔６ａに嵌合している三角形の突部５ａ，５ａの傾斜面が長孔６ａの上縁を徐々に乗り上げていき、これに伴ってキャップ５が前記突部５ａ，５ａが吊り具挿通孔６に嵌合していた長さ分だけキャップ装着孔３を上動していく。
【００２０】
そして、突部５ａ，５ａの全体がボス部２ｄの基端面に乗り上げると、キャップ５の基端側が突部５ａ，５ａの高さ分だけキャップ装着孔３とコンクリート製品Ｋの上面に突出するので、作業者はこの突出部分をつまんでキャップ５を取り外す。キャップ５は、このようにして簡単な工具で簡便に取り外され、長期間での装着や取り外しによる損傷もないので、機能的にも外観的にも再使用に充分堪え得る。
【図面の簡単な説明】
【００２１】
【図１】本発明の実施の形態の一例を示す分解斜視図である。
【図２】図１に示した実施の形におけるインサート本体を示す側面図である。
【図３】図２の平面図である。
【図４】図２の縦断面である。
【図５】図１に示した実施の形におけるキャップを示す平面図である。
【図６】図５の縦断面である。
【符号の説明】
【００２２】
１…インサート、２ａ…インサート本体  ２ｄ…ボス部、２ｅ…先端壁、３…キャップ装着孔、４…吊り具係合孔、５…キャップ、５ａ…突部、６…吊り具挿通孔、６ａ…長孔、６ｂ…円弧孔、７…工具掛け溝、Ｋ…Ｕ字溝等のコンクリート製品
【図１】
0004791879.tif 000002
【図２】
0004791879.tif 000003
【図３】
0004791879.tif 000004
【図４】
0004791879.tif 000005
【図５】
0004791879.tif 000006
【図６】
0004791879.tif 000007